(57)【要約】      （修正有）【課題】建物の屋根の波板工事に関し、Ｌアングルなどの構造材へ波板を取り付ける止め具作業を屋根に登らずに下側から作業できるようにした波板止め具を提供する。【解決手段】波板止め具は、波板用フックボルト１６とナット付き亀座金１２からなり、波板用フックボルト１６の一端は雄螺子、他端は止めフック１６２からなり、ナット付き亀座金１２は、波板に整合する形状の底面であり、中心の止め付け貫通孔は雌螺子１２５になっている。波板１１を床面に置いて、止め付け貫通孔にナット付き亀座金１２を整合して仮止めして、屋根のＬアングル１０の上に設置して下側から波板用フックボルト１６をナット付き亀座金１２に回転挿入してＬアングル１０に止める。【選択図】図１
0003179097.tif 000002
【実用新案登録請求の範囲】
【請求項１】
波板を支持部材に止め付ける波板止め具であって、波板用フックボルトとナット付き亀座金を備え、前記波板用フックボルトの一端は雄螺子、他端は止めフックからなり、前記ナット付き亀座金は前記波板に整合する形状の底面であり、中心の止め付け貫通孔は雌螺子又は前記雄螺子に適合する貫通孔である波板止め具。
【請求項２】
請求項１に記載の波板止め具において、前記ナット付き亀座金は、波板用の亀座金の上面に汎用のナットを中心整合して固着して形成されている。
【請求項３】
請求項１に記載の波板止め具において、前記ナット付き亀座金は合成樹脂などの材質で一体成型されている。
【請求項４】
請求項１乃至３に記載の波板止め具において、前記ナット付き亀座金の底面には、接着層が付加されている。
【請求項５】
請求項１乃至４に記載の波板止め具において、前記波板止め具に使用するシーリングパッキンは、底面に接着層が付加されている。
【考案の詳細な説明】
【技術分野】
【０００１】
本考案は、建物の屋根に波板を使用する場合の、Ｌアングルなどの構造材へ波板を取り付ける止め具に関するものである。
【背景技術】
【０００２】
波板をＬアングル、Ｃチャンネルなどに取り付ける止め具として、フックボルト、シーリングパッキン、亀座金、ナットからなるセットとして市販されている。そして、ホームセンターなどで誰でも波板と止め具セットを容易に入手が可能である。そして、取付工事の手順もホームセンター、インターネットなどで詳しく開示されている。
【０００３】
特許文献１の構成を図４に示す。ナット１、笠２、パッキン３、フックボルト４からなる。フックボルト４の軸の形状と笠２の貫通穴の形状は円形でなく、形状が整合しているので、挿入すると波とフックの方向が決まり、ナット１の止め付けが容易なっている。
特許文献２には、フック部材（文献２符号３、３’）を採用し、アングル材の形状の相違に対応して、高さ寸法の相違は適合する長さの汎用ボルト（文献２符号８）を使用している。
この様に、作業は一般的に上側から行うことが前提となっている。
【先行技術文献】
【特許文献】
【０００４】
【特許文献１】実新３１３０１０２号公報
【特許文献２】特開１９９９−０８２４５３号公報
【考案の概要】
【考案が解決しようとする課題】
【０００５】
解決しようとする問題点は、波板の取り付の一般的な工法は屋根の上側から作業を行うもので、作業者が屋根の上に登ることになるので、落下の危険性がある。この危険性を回避し、安全を確保し、作業を容易にする。
【０００６】
この改善策として、作業者は上半身のみを屋根の上に出して作業をすることが出来るが、最後の波板の取り付は側壁がある等により困難な場合がある。
【課題を解決するための手段】
【０００７】
第１の考案の波板を支持部材に止め付ける波板止め具は、波板用フックボルトとナット付き亀座金を備え、波板用フックボルトの一端は雄螺子、他端は止めフックからなり、ナット付き亀座金は波板に整合する形状の底面であり、中心の止め付け貫通孔は雌螺子又は前記雄螺子に適合する貫通孔である。
第２の考案は、第１の考案のナット付き亀座金は、亀座金の上面に汎用のナットを中心整合して固着して形成されている。
第３の考案は、第１の考案のナット付き亀座金は、合成樹脂などの材質で一体成型されている。
第４の考案は、第１乃至３の考案のナット付き亀座金の底面には、接着層が付加されている。
第５の考案は、第１乃至４の考案の波板止め具に使用するシーリングパッキンは、底面に接着層が付加されている。
【考案の効果】
【０００８】
本考案に共通する利点は、波板を上側からでなく、下側からＬアングルなどに取り付ける取付け具を提供し、作業の安全を確保する点である。
第１の考案によれば、ナット付き亀座金の底面は波板と形状が整合しており、先に波板に接着などで仮止めすることで、波板用フックボルトを下側から締め付ける時、締め付け方向に回転しないので作業が容易である。又、屋根の全面でなく部分補修も容易である。
【０００９】
第２の考案によれば、従来の波板止め具の亀座とナットとを溶接などで固着して亀座付きナットを製作することができる。
第３の考案によれば、量産が容易でコスト低減と材質に依り腐食劣化の防止になる。波板との間で簡易な止水も可能で、シーリングパッキンを省くことが出来る。
第４の考案によれば、波板への仮止めを容易にする。
第５の考案によれば、シーリングパッキンを使用するので止め付けと止水を確実なものにする。
【図面の簡単な説明】
【００１０】
【図１】図１は本考案の実施例１の正面からの断面図。
【図２】図２は本考案の実施例２のナット付き亀座金を一体形成した図。
【図３】図３Ａ〜図３Ｃは本考案の波板用フックボルトの例
【図４】図４は従来の波板用止め具の例
【考案を実施するための形態】
【００１１】
本考案の波板止め具１００により、作業者が波板１１の取り付の作業を屋根の上に登らずに下側から安全に作業することを実現した。
【実施例１】
【００１２】
図１において説明する。建屋の屋根を構成するＬアングル１０の上側平面１０１に波板１１が配置されている。波板１１には波板用フックボルト１６の止め付け軸１６０に合わせて貫通孔が開けられている。貫通孔に整合して上側にシーリングパッキン１４が接着層Ｂ１５によって止め付けされて、その上側にナット付き亀座金１２が接着層Ａ１３を介して仮止めされている。
図１のナット付き亀座金１２は、亀座１２２の上側にナット１２１を溶接にて固着されている。中心は雌螺子１２５が貫通している。波板用フックボルト１６を下側から回転して止め付けようとしている状態図である。
波板用フックボルト１６は、先端側が雄螺子であって、続いて軸部があり他端が曲げられてフックアーム１６２となっている。
【００１３】
波板１１を下側から止め付けるための作業を手順に従って説明する。
「手順：１」は、波板１１を屋根のＬアングル１０の上側平面１０１に置いて、所定の位置を定める。そして、止め付け軸１６０の位置にマジックぺンなどで下側（床面側）からマーキングをする。
「手順：２」は、波板１１を建屋の床面に下ろし、マーキングの面を上面にして、  マーキングの位置に波板用フックボルト１６が貫通可能な貫通孔をドリル加工する。
「手順：３」は、波板１１を設置と同じ面を上側にし、シーリングパッキン１４の底面の接着層Ｂ１５の保護シールを剥がして波板１１の貫通孔に整合して接着する。次に、ナット付き亀座金１２の底面の接着層Ａ１３の保護シールを剥がしてシーリングパッキン１４の上側に貫通孔に整合して接着する。これで仮止めが完了する。
【００１４】
「手順：３」の仮止め作業は波板１１の止め付け作業が下側からしか出来ない。又は、作業が下側からの方が有利な貫通孔だけでも良い。作業者が上半身を屋根から上に出して、上から作業が可能な範囲は従来の止め具を使用してフックボルトを上から通し、ナットを締めて固定しても良い。
【００１５】
「手順：４」は、「手順：３」の完了した波板１１を屋根の所定の位置に戻す。そして、波板用フックボルト１６を止め付け軸１６０の貫通孔に挿入し、ナット付き亀座金１２の雌螺子１２５に押し当てて回転して締め付ける。そして、フックアーム１６２がＬアングル下端面１０２に当たる様になる。この状態になれば、フックアーム１６２をペンチ等で掴み下側に引きながら回すと、Ｌアングル下端面１０２を越して、確実な係止の状態になる。
【００１６】
ナット付き亀座金１２が波板１１に仮止めされているので、回転することなく容易に波板用フックボルト１６を回転して締め付けすることが出来る。
波板１１とシーリングパッキン１４には止め付け軸１６０の方向に弾性があるので締め付け作業と係止を確実にする効果がある。
【実施例２】
【００１７】
図２において説明する。ナット付き亀座金１２ａは合成樹脂で一体成型されている。図２Ａは上面図、図２Ｂは正面図、図２Ｃは左側面図である。ナット付き亀座金１２ａの中心には雌螺子１２５が貫通している。そして、雌螺子１２５の強度を確保するために、ナット１２１に相当する円柱を上側に形成している。亀座底面１２６は波板１１の波状に合わせた形状になっている。波板１１に固定された場合、波板用フックボルト１６の締め付け回転に対してナット付き亀座金１２ａ自体の回転を防止し、締め付け回転作業と波板１１の固定を確実にしている。材質が合成樹脂であるので、止水と腐食に対し好都合である。
【００１８】
合成樹脂に適度な弾性があると、波板１１との密着性が良くなるので、シーリングパッキン１４を省くことができる。亀座底面１２６に保護シート付きの接着層Ａ１３を付加すると、実施例１の「手順：３」の仮止め作業が容易になる。
【実施例３】
【００１９】
図３は、波板用フックボルト１６の他の実施例を図示している。図３Ｂは実施例１に示した波板用フックボルト１６である。フックアーム１６２は少し鋭角の８０度位に曲げられてＬアングル１０との係止を確実にしている。
図３Ａは、フックアーム１６２ａが直角の９０度に曲げられて雄螺子が切られている。雄螺子部分にナットを挿入し締め付けてＬアングル１０に係止する。図３Ｃは、一般の汎用ボルト１６ｂとＬ型フック１６２ｂとで波板用フックボルト１６を実現している。又、汎用ボルトの雄螺子部分がタッピング螺子であれば、ナット付き亀座金１２２の中心は適合する貫通孔であってもよい。
【００２０】
その他の実施例として、実施例１において、シーリングパッキン１４を使用したが、止水が確保されれば、使用しなくても良い。
接着層Ａ１３のないナット付き亀座金１２を汎用の接着剤や両面接着テープで波板１１に仮止めしても良い。接着テープは簡易のシーリングパッキン１４の機能もある。
ナット付き亀座金１２は亀座金１２２とナット１２１を溶接したが、金属で一体成型しても良い。
波板１１とナット付き亀座金１２の仮止めを接着としたが、亀座底面１２６に円筒の突起を設けて波板の貫通孔に圧入して仮止めしても良い。
本考案の特定の実施形態についての上述の説明は、例示を目的として提示したものである。それらは、網羅的であったり、記載した形態そのままに本考案を制限したりすることを意図したものではない。数多くの変形や変更が、上述の記載内容に照らして可能であることは当業者に自明である。
【符号の説明】
【００２１】
１０・・・Ｌアングル
１１・・・波板
１２・・・ナット付き亀座金
１００・・波板止め具
１２５・・雌螺子、貫通穴
１２６・・亀座底面
１３・・・接着層Ａ
１４・・・シーリングパッキン
１５・・・接着層Ｂ
１６・・・波板用フックボルト
１６０・・止め付け軸
１６２・・フックアーム
【図１】
0003179097.tif 000003
【図２】
0003179097.tif 000004
【図３】
0003179097.tif 000005
【図４】
0003179097.tif 000006
【手続補正書】
【提出日】平成24年8月10日(2012.8.10)
【手続補正１】
【補正対象書類名】実用新案登録請求の範囲
【補正対象項目名】請求項４
【補正方法】変更
【補正の内容】
【請求項４】
請求項１乃至３のいずれか一項に記載の波板止め具において、前記ナット付き亀座金の底面には、接着層が付加されている。
【手続補正２】
【補正対象書類名】実用新案登録請求の範囲
【補正対象項目名】請求項５
【補正方法】変更
【補正の内容】
【請求項５】
請求項１乃至４のいずれか一項に記載の波板止め具において、前記波板止め具に使用するシーリングパッキンは、底面に接着層が付加されている。